【手続補正書】
【提出日】平成18年12月26日(2006.12.26)
【手続補正１】
【補正対象書類名】特許請求の範囲
【補正対象項目名】全文
【補正方法】変更
【補正の内容】
【特許請求の範囲】
【請求項１】
現在、市場で、別形体を以って、多く類在する、夜釣り人が、夜間の浮きポイント目安に使用している、自律発光できる、発光        灯を完全防水にし、人、動物（ペット）等が、使用する装飾、装備、アクセサリーにする、小間物、ペンダント、ブローチ、ブレスレット、チェーンホルダー等内に内臓して、之を製品化する、発明、請求をして
上記述を、同意議とし、    身長の低く、夜間、車上位置から、これが見えにくい、小人、動物、（ペット）等の首輪や、リード先に、黄色（磁性線）を中心に持ち、波長の長短を、正反対方向に持つ赤青色事故防止する発光器型ペンダントが発明される請求。
【請求項２】
そして、更に、同意議の中、車両等が、接触、衝突、追突事故を起こさぬ様、赤色類他、常に、之等、反対色をして、青色類他をする、電球、反射板、フォグランプを会意させ人の視神経を興奮させる発光器物とし、車、船、抗空機等に取り付け、強盗、盗難、海難事故に役立つ物とし、これを面テープ、磁石、他、工法接続取り付け物となる発明請求。
【請求項３】
又、この発明品である、点滅できる点灯に、有事、被災時において、「ＳＯＳ」等を主体とする、トンツー式、モールツ信号灯に変換できる、切り替えスイッチ付、点滅機を付ける発明が為される事への請求。
【請求項４】
同意議目的を以って、昼間は、極単に色の違う、青赤、若しくは、白黒類等を反対色に持ち、この様に使用される帯、風船、風車を用い、夜間は投高器を用いて、照らし、この様に反対色を持
2007109622.tif 000001
園等に用いれば、害鳥獣が、これに近よらなくなる事を発見、発明する請求。
【手続補正１】
【補正対象書類名】明細書
【補正対象項目名】全文
【補正方法】変更
【補正の内容】
【発明の詳細な説明】
【発明の名称】●自律発光灯（具）（Ｔ．４３０）●発光帽章（Ｔ．４３１）●自律発光ペンダント（Ｔ４３２）自律発光チェーンホルダー（Ｔ．４３３）●サイドミラー保護灯（Ｔ．４３４）●車輌所在示灯（Ｔ．４３５）●リード付（ペット首輪自律発光灯（Ｔ．４３６）●青色類車番灯（Ｔ．４３７）●青色類ストラップランプ（Ｔ．４３８）●反対色入（帯、風車、風船、他）信号具（Ｔ．４３９）
【技術分野】
【０００１】  筆者は、田舎育ちで、子供の頃、砂糖水を持ち、夏期、夜る河原に、友達とよく、蛍を採りに行った。ウチワで叩いて採るのがベターであった。  砂糖水は、いつも、自分で飲んでいた。【０００２】  ホタルの放つ光は、相当に強い物であったが、その光は柔らかく、見る人々の目には、小気味よく、目障りにはならなかった。  火の玉も見た事があった。  これは気味が悪く、火の玉を見て、一週間、熱を出したのも、この頃であった。【０００３】  ホタルを含め、夏期性生物は、短い生涯のうち、的確に、その配偶者を選取し、優秀な子孫を残す為、交尾を成功させなければならなかった。  人間界も、かくべく様、有りたかったが、人間界の「ロミオとジュリエット」、夜るの舞踏会‥‥‥、シトネの段回的  ストーリーでは、決っして、ホタルに負けるものでは無い。と思われる所でもあった。【０００４】  これは、人間界、ホタル界に言わず、最も、天敵の多い時にあって、ホタルも同じ様、敵に最も狙れ易いが、意志疎通する相手を位置早く、ルート良く選取し、外敵を避ける為、その躰に発光体を着ける進化の路を選んでいた。【０００５】  この方法は、コウモリの発っする超音波を外く効果があり、一定のリズムを持つ、発光は、あまりにも、遅い周期率の為、敵の目くらましに役立ち、発光体が、点灯しない時は、微量のホルモン液を出し続け、動き廻り続けるので、自分の所在位置を敵に容易に知らせず、広大な、河原にあって、必要配偶者に多いに遭遇し易いものとなった。
（Ｔ．７３０号、ＵＦＯＩ型機、Ｔ．７２０号、ハウリング参照）【０００６】  この様に、この世にある、点灯発光体速度に、四次元、（Ｅ２＝ｎ⇒Ｘ＋Ｙ＝Ｚ）計算式を用いた時、一定の距離、空間（Ｙバリュー）にある、河原、草源地帯に生活圏を求める、平均１、３週間前後しか生存できない、彼等にとって、あり余る、時間帯（Ｘバリュー）の精々に限られた生殖交尾時間、３〜５時間の内に、優良配偶者を選取しなければ、
2007109622.tif 000002
【０００７】  この課題を、人間界に持って来た時、人類において、膨大に広がる生活圏の中（Ｙ）で限られる最良の時間帯（Ｘ）を選取できる者は、成功できるものとなった。  けれども、【０００８】  人動物界でも、この様に互いに動く物（体）を味方にして、害敵と成す時、これに、識別し易い点灯体の色、場所、照度、大きさ、点滅速度が技術的に大変重要視されるものとなった。それ故、これをして、色、照度、大きさ、点灯速度を、不適切に使用した場合、動物の持つ脳が、拒絶反応を示すものとなり、不快感を覚え、甚しい時には、その点灯（物）を見ただけで、見て、見えぬ現象が起こったり、意識障害さへ起こす危険な物に成り得たからであった。    （Ｔ．１、必ず眠れる枕、参照）【０００９】  つまり、色合は、青と赤色にある反対色が、動物体が認識色に用いる時、注意色となり、（動物実験では、敵味方の多くある、熱帯地方に、オウム、蛇類、他、熱帯魚を参照にし、太古でも、恐竜が  之を体色に用い、敵、味方同志の色別に多いに役立っていた。
人動物の見る、極単な赤色は、脳中に、極度のアドレナリンをして、青色は、メラトリンを分泌させて後、他色を見た際に、反対液が、多量にこれに分泌する効果は、大火傷の患者の病室には、青色を用い、赤色を用いてはいけない事の由以を考証論理に援用を求めた時、多
2007109622.tif 000003
【００１０】    それ故、これで、間に合わぬ時、動物に言わず、植物に至ってまで、クラゲ、深海魚、月夜茸等に見られる、ロドプシン細胞を多いに活用し、自力で光を放つ者も続出した。【００１１】  現代科学では、未だ知られていない事に、猫、犬、猛禽類の目が光るのは、思い違いされる、彼等の体内に貯えられたロドプシン電蓄力で自力発光しており、太古の恐竜の目も光っていたが、黒色の周囲に紅色があり、リズムがあった。（Ｔ．３０、健康手袋参照）【００１２】  人動物、（特に哺乳類）では、心臓のリズム鼓動に合わせ、これらは、発光させている者が多かった。  人動物等は、親の胎内に居る時、親の心臓鼓音をその脳に覚えていた。【００１３】
2007109622.tif 000004
持っている、心臓鼓動速度で発信する信号を持つ者に、生理的、安心感を覚え、一応味方にある範囲の物として、低抗なく、すぐに、同調し、これを仲間（Ｘ）とみなし、敬遠（Ｙ）するものと成し、注意信号（Ｚ）と認識させる技術力は、不遍のものであり、毎秒１
2007109622.tif 000005
意を促す、信号力になる技術力が、本発明にはあった。  同音速のモールツ信号も然り。
【背景技術】
【００１４】  ●特願、２００５−１１８９２９２、陣羽織  ●  ２００５−２３３７４７、スズナリ  チェーンホルダー  ●  ２００３−４３６３０８、兜形ヘルメット  ●  ２００５−１４６０２６、示現流  ●  ２００５−２１４９６８、自行車  ●  ２００？、ＵＦＯＩ型機  ●  ２００？、スパコンハウリング  ●  ２００？、カルラーコクーン  ●  ２００４−１４６９９４、必ず眠れる枕  ●  ２００４−１８１９０４、健康手袋●  Ｔ．５５０号参照
【発明の開示】
【００１５】  筆者は、戦後生まれであり、第二次世界大戦も終結してから、既に半世紀も過ぎようとしていた頃、尚も、サイパン、グアム、沖縄を観光した際、その頃の激戦のすさましさを生々しく現地で垣間見る事が出来た。  ものすごい戦争だったらしかった。  オジイさん、オバアさんが、筆者のコドモの頃、ベッドの中でオトギ話しにして、よく聞かせて下さっていた。
【００１６】  何がものすごかったのか？  と言えば、日本とドイツ軍の惨敗振りがものすごいものであったらしかった。  ――筆者は、ドイツ系日本人であった。  戦争の良し悪しは、別課題として、筆者は、日本とドイツ国に対して、並ならぬ誇りを持っていた。  当事も、世界トップレベルを誇った日本、ドイツ軍が持つ技術、軍事力は、彼国の軍事、技術力以上のものであった筈であったが、何故、これ程までに惨敗したのであろうか？  後に、筆者は○万通を越える兵法、軍事論理学法をして、戦争史書を読み深けり、学び、最後に見破ったのは、これは、光通信技術の遅れを取り、ドイツにおいては、ノルマンディ沿岸戦、日本においては、ミッドウェー海戦に大敗し、その綻びを拡大しつつ、その終焉の行き付く所となった。  と考えた。  しかしながら、
【００１７】  日本の古戦史においては、山岳地育ちの知将、武田信玄及び、武田本陣、参謀本部の之が、孫子の兵法に通じており、狼煙台による、通信技術をよく使い、領国に、敵侵入（特に上杉兼信）ある時には、彼等に侵攻の数十（信）倍以上の速度を以って、本国本陣に、その急変を知らせ、「鹿角危計」即ち、変動陣形食糧攻め策を用い、  之を悩し続けた。
【００１８】  本題に戻した時、彼国においては、ボーイスカウトに始まり、少年達は、コドモの頃よ
2007109622.tif 000006
、優れた人材が集まり、育成されていた。  独も、ナチス第三帝国時代に、これを真似たが、彼国の持つ歴史、実跡に倒底及ぶ所ではなかった。  （Ｔ．２２０  オブカッパ）
【００１９】  これらコドモ達は、鍛えられ、この中にある者は、レンヂャー特殊部遂に入隊する者も居て、進んだ、小型のレンズ力を利用する、小型の懐中電灯を多く用い、敵地に（パラシュートで）潜む、海上、陸上、高き所から、飛行爆撃機に、その適当格な、爆弾投下位置を味方に支持し、ミッドウェー海戦にあっては、旧日本海軍は、広大な、海原の中に、敵
2007109622.tif 000007
【００２０】  しかしながら、敵鑑隊には、この戦闘海域において、自軍位置と、日本軍の位置を、その数十倍以上にある速度で容易に認識できているものであり、これに反して、日本軍、人口の大半では、彼国軍隊人口が持つ懐中電灯の数に比して、ローソク、提灯の数が、あまりにも多すぎた事で、この論文の言わんとしている事が理解出来た。（Ｔ．１７０、盗聴コンウィルス防止器参照・重要。現在、パソコン保有台数、世界一の日本は目障的存在）
【００２１】  この様に、いかなる光りにあっても、緻密に限定地域（Ｙ）にあって、これが用いられる（Ｘ）際には、安価栖で、いくらでも数多く有り、Ｙバリュー化している、ローソク、提灯、ランプ‥‥‥等では、Ｘバリュー化している懐中電灯、一本に比する物（Ｚ）には決っして成り得なかった。  それ故、
【００２２】  この様に、未だ、人類が活用できなかった、四次元計算式、Ｅ２＝ｎ⇒Ｘ＋Ｙ＝Ｚを用いると、愚かなアメリカナイズ的、内需拡大政策の元、土地面積、人口を広大に持つ、大陸大地、外国人労働力に、その威勢を求め、Ｙバリュー化し、劣っする、ローソク、提灯、ランプ等製品を大規模工場に求め、生産し、大規模店舗に安価格で並べたて、小利益を得て後、国内にゴミの山を作るよりも、かってにあった、優秀にして、存立する、ジャパンナイズ尊厳の元、小土地面積、人員をよく活用し、彼国に在る懐中電灯より、安価格にて、懐れず、更に優れた製品を  理論整然とし、弛ない努力の元に、日々生産され、小規模店舗に多く並べたてられる時、日本国経済の不遍は盤石なものとなり、国内に多大な利益を生み出し続けるままに、黄金の国、ジパングは永久不滅となるものであった。  例えが、ローソク、懐中電灯でしか無かったが、課題が生じた。  （Ｔ．７５０参照）
【課題を解決するための手段】
【００２３】  今、課題を解決する手段に、現代、膨れ上がる膨大な交通戦争に主眼（要点）を持って来た時、この年々増える被害者は、高令者、コドモ、飼い犬、猫をする、その被害の増大は、被岸を境いに夜る闇の多くなる夕刻時刻に増え続ける所であり、これら交通被災者は、多にして、交通ルール、社会的秩序に疎い者達が大半であった。
【００２４】  他人事に知らぬ中、筆者の知人に我が子を失った人が居て、その悼みと苦しみをかってに見て来ており、筆者自身も、この為に、愛する忠犬、愛猫を失っていた。  轢き逃げだった。  たかが猫として、轢かれたのは、七才の黒の雄猫であったが、轢逃げ現場に行って見ると、「痛い、誰か！‥‥‥。」と言って呻いていた。  まさか！と思い、その顔を見ると、それは、猫の原型を離れた、美しくは無いが、筆者にとって、あまりにも可愛い、クロであった。クロは、日本猿の様に、顔と手足に毛が無く、人の言葉を話し、算数のたし算、引き算も出来る猫であり、筆者が、地球型エーリアンとして、造った、世界初のペットのネコであった。  「クロ！」と呼ぶと、「テオリーくん。」と微かに聞こえた。筆者は、泣き崩れた。  読者には信じられないだろうが真実の話しであった。  クロは、大概、人の話す千種の言葉を理解していた。    （Ｔ．３０、健康手袋）
（之は、軍事兵器に悪用される危険があった。  （Ｔ．５８０、カルラーコクーン参照）
【００２５】  しかしながら、それにも劣らず、筆者自身、幼少の頃より、何度も交通事故に遭遇し続けたもの、死線をさ迷い、無事生環し続けていた。  手相を見ると、本来は既に死んでいてもおかしくない者でありながらにして、強靭なる悪運線が、しっかりと  これに出ており、その弱い命（生命線）を保護していた。    （クロの手相は、分らなかった。）
【００２６】  時に、魚釣りの好きな筆者は、夜釣りをしていて、コドモの頃無かった（チカチカ）電灯の光るリール先に在る浮きを暗い海面に向けて、投げては、その頃の少年時代の回想に深けっていた。  フッと、この（チカチカ）浮きに付いている電灯を、この、交通弱者である、世のお年寄、コドモ、ペット、他、ブレスレット、ペンダントに組み込ませて付けたら、どの様になるものであろうか？  この交通事故、被災者を激減させる事が出来る。と考えた時、本発明が起こった。
【発明の効果】
【００２７】  主として、人間の目と大脳皮質（視覚神径）が反射神径によって得る視考力と、これが持つ視覚視野においては、飛行速度に匹敵する比例関係にある角度と、スピード関係は、対比する視力面積を持っていた。          （Ｔ．１０、兜型ヘルメット参照）しかしながら、四次元計算式は、アインシュタインにより、現代科学公式、Ｅ２＝ｎで表わされたものの、応用計算式が難しく、筆者が、万爆法則、Ｘ＋Ｙ＝Ｚを、新代科学に唱じ、図形をメビウス帯に求める時、理論上、一、二、三次元界で反き合う、＋、−が、反対線上で、（同意）（反意が、解意して、連立するものである事が理解され、  Ｘに対し、Ｙバリューは、あくまでも負の要素を持ち続ける、形体Ｚに表わされる事が出来た。  故に、
【００２８】  Ｅ２＝ｎ⇒Ｘ＋Ｙ＝Ｚの公式を、これに用いた時、ＡとＢの二動作を以ち、高速移動する乗物があった時、通常、距離、空間（Ｙ）を裕に持ち、時間（Ｘ）を小とする、物理空間上にある物体、Ｘ＜Ｙ⇒Ｚ、（⇒は即ちを表わす。）では、物体には、躍動（進行）力を得て、安定するものとなったが、反対に、距離、空間（Ｙ）が貧しくなり、Ｘ＞Ｙ⇒Ｚに成り得る公式が、歪みにより、あらゆる物理空間上にある物体に生じた時、ＡとＢの二動作を以って、高速移動物体に働らく、躍動する行進力は、永久停止し、その為、
（Ｔ．３３０、スズナリチェーンホルダー参照）
ここに、仮りに、人動物が入ったとすれば、人動物は、永遠に死なない命を持つ事になる。  （旧約聖書、創世記３章２４節「神は、人が永遠に生きない様、園を出した。」）
（Ｔ．３０、健康手袋。  Ｔ．７６０、タイムマシーン参照。）
【００２９】  本文を、本課題に戻し、分り易く説明すると、１ｋｍの距離を保つ、ＡとＢの車両が同一路線上（人生）にあったが、Ａは、１６０ｋｍ毎時速度を保ち、（Ｘ＞Ｙ⇒Ｚ）Ｂの６０ｋｍ毎時（Ｘ＜Ｙ⇒Ｚ速度にある物理空間において、ＢはＡに追い付き、双方車両は、
2007109622.tif 000008
あって、これを、Ｅ２＝ｎ⇒Ｘ＋Ｙ＝Ｚの代数で表わす時、躍動条件、状態に合わせ、＋、−、×、÷算式を、之にいかようにも編入できる義が生じたが、
この時、物体は、「物理空間上永久停止した。」と呼ばれ、視界からも永久停止する事となり、この状態にある、複数間にある、あらゆる物体は、「永久安定速度保持状態」と呼称されたが、「ルール。」とも、「安定中の流れ。」とも呼ばれる時、光りの流れも、人動物の思考力視神径（脳）の中から１４秒〜１４０秒後に消えた！  しかしながら、
【００３０】  この時、複数間にあり、前方向にあった、Ａ車輌が、急な理由を得て、３０ｋｍ／時に減速（Ｘ３０＜Ｙ９０⇒Ｚ１２０）した時、この物理空間にあった、全ての物体は、「物理空間上の永久停止」を止め、見る者の視界の中で、突然動き出すものとなる際、（Ｘ３０＜Ｙ９０⇒Ｚ１２０Ｍ）の車間距離が、突如として必要となり、この距離を保てない物は、Ａ車輌以後の継続車輌は、順次、和を乱し、玉突き衝突をするものとなり、その衝撃力は、筆者の唱える万有爆力の法則、（Ｘ０＜Ｙ１２０⇒Ｚ１２０ｋｍ／ｗ）の元、１２０Ｍ高所から墜落したと同じ衝撃力を受けるものとなった。
【００３１】  この例えを、もっと分り易く説明すると、仮りに、毎時６０ｋｍ走行速度を自負している動物（猫）が、直角方向の道路を走行する車両が、こちらに向って来るのを６０Ｍ先で見て、道路に飛び出して見た時、公式Ｘ６０＋Ｙ６０＝Ｚ６０の計算式が働き、この猫の目には、飽くまでも、走行車両は停止しているものにしか見えず、公式Ｘ６０＋Ｙ６０＝Ｚ１２０の安全距離を保てる走行速度で  道路を渡り切れば、交通事故に遭わずに済み、この道路上において、生命の危険を得ないものとなった。
【発明を実施するための最良の形態】
【００３２】  現代科学で、未だ、人類は、物理空間上にある、「永久停止力学理論」及び、立証式、Ｘ＋Ｙ＝Ｚの、「永久不安定速度保持状態理論」（Ｘ＞Ｙ＝Ｚ１．１４、五次元力学）の計算式を知らず、これが確立されていなかった時、多くの人々は、物理空間に多く発生する、速度間と距離の関係にある物体の停止現象にある実効性を知らず、数、数え切れない多く
2007109622.tif 000009
．１４速度前後で点滅する、青、赤色の様に、反対色を持つ点灯体を次元関数界にあって、物理空間上を高速移動するあらゆる乗り物に対象的に取り付けた時、これを見る人、動物の目から、物理空間上に働らく、視覚視野における、物体の完全消滅現象は無くなっていた。（Ｔ．７６０、タイムマシーン参照）  点灯は、接触防止。【００３３】  この事は、古くにあった事例を例え話しをして、少し話しをしてみたかった。  ――筆者は、新潟県長岡市出身であった。  その頃、先述される、お爺さんと、お婆さんが、お伽話しして下さる、第二次世界大戦も末期、長岡市民殲滅策戦にある米軍、Ｂ２９（戦闘）爆撃機が、これを空襲した際、長岡市民は、日頃の空襲避難訓練により、一斉に屋内、
2007109622.tif 000010
の平潟神社、地）入口附近で、複数名の人員が外に出て、タバコに火を付け、之をふかし、空爆状況を安心し、油断して見守っていたらしかった。  しかしながら、これは、【００３４】  ――当時の戦略主流の殆ど全ては、英国、ランチェスター将軍考案による、ランチェスター市街地皆殺し攻略体系。    最近の戦争史  ベトナム戦争  イラク戦争にもこれが使
2007109622.tif 000011
爆弾を投下しているものである。と誤解し、油断していたものであったが、踵を返す、米軍機、Ｂ２９は、その６５０Ｍから８５０Ｍ上空を飛ぶべく、飛距離にありながら、一瞬の内に、この暗がりの大地で、タバコをふかしている、その火灯りを目印に舞い戻って来て、その位置（平潟神社）に対して、重点的に焼夷弾を投下し続けた為、附近一帯は、火の海となり、逃げ場を失った非戦闘員（女、コドモ、老人、病人‥‥）等２４人は、そのまま、全員、その位置で焼死する事となり、市街地市民、８万人×０．０３％＝２４００人を（戦意）消失し、事実上、長岡市全体の陥落となった。  （Ｔ．２７０、陣羽織参照）
この様に、星くず程に小さく自立発光する光りが絶大となるものであったが、【００３５】  ここで留意する事は、この説話に登場した、タバコの燃焼温度を筆者が唱じる「万有爆力の法則、燃焼温度は、同量の光粒子線量に相当変換する。」事から、タバコの燃焼温度を仮りに、摂氏６５０°〜  ８５０°Ｃとした時、このタバコの火は、６５０ｌｘ〜８５０ｌｘ（ルックス）に相当する光粒子量を持っているものである。」と言い、６５０Ｍ〜８５０Ｍ上空を飛行する、飛行士に歴然とこの光りは、認認できる立証実験を得る時、カンデラをｍＡ（ミリアンペア）にて、出力換算される、消費電力を算出し、（本品に拡大レンズを用いられれば尚良い。）これを製作された場合、本品を実力化しして、用いられる消費者では、地上にあっては、【００３６】  説話が続けられる、  Ｘ６５０＋Ｙ６５０＝Ｚ６５０の公式でこれに引用した場合、地上６５０Ｍ上空を飛ぶ飛行機にあっては、  ６５０ｃａｌ焦度で出力されるタバコの燃焼度は、本論説にあり、形体、Ｚに示され、  万有爆力の法則から、同一路線（タバコの火を目指して進む）上にある、飛行機からでは、「永久安定速度保持状態現象」が働く為、速度Ｘ、距離Ｙは、停止し、光りＺをのみ、そこに残し、見えなくなりますが、星の眩の様に、本公式に、１．１４秒系数にあるＡを附加させた時、五次元効果（Ｙ、同意角度範囲内）が働く為、突如として、この物理空間にあった、Ｂ２９爆撃機の飛行士には、この点滅する光りが、（認識の範囲で）見える様になります。  巷に、６５０Ｍ上空（Ｙ）を飛行する航空機の安定速度（Ｘ）は、６５０ｋｍ／時が、三次元関数式から限度となっており、（６５０ｋｍ／ｗ）×３の強度を得ないで制作される、あらゆる飛行物体が、この限度を越えて航行する際、空中分解する危険に晒される際、本式、相対性理論で指摘される航空力学を、米国ナサをして、日本の文部科学省（杭空科学技術局）では、未だ、関知しない所でもあった。
（Ｔ．３２０、自行車参照）【００３７】  本論文は、相対論理の元、（動物、脳）生理学が援用されると、更に分り易くなった。――――生物進化説にあって、この地球上にあり、毎時、６０ｋｍ以上の速度を出力できる生物は、高速度数を得る生物として  生物同志の衝突を防ぐ為  極単に反反色にある体色飾を選んで進化させた者が、古今東西数多く在る中で、これは  仲間同志を見分け、絆を深め合う為にも、大変便利なものであったが、  一匹ではか弱く、猛禽類をしても、、捕食獣は、被食獣を掴える際、高速で走り  １秒のロスタイムも許されず、同速出力できる被食獣も又、然り、１．１４秒の手際（反射神経）により、命を長らえる事が出来る中、被食獣は、ストライプのある、激しい、反対色を体色に選び続ける事の原因は、強靱なる、被食獣は、猛烈な速度で  突進してくる大型動物  （鷲、鷹、鳶等）の出力速度に、小型動物（オウム、インコ等）では  逃げ切れるものでなかった際  彼等は、体色を極単に違う、反対色をして、赤と青、白と黒、黄と黒の様に、選ぶ、体色飾に染めて、見た時、（１．１４秒系数とは、人が物を見、行動するまでに要する、平均時間を表わす。）
攻撃者が  之を１４秒以上疑視した際には、その目（脳）には  激しく  メラトリンが発生される    １．１４秒間の玄覚（仮眠）現象に陥る、  これら「拒絶色」を体色に
2007109622.tif 000012
類をして、    ゼブラ、キリン類、動物等に見られる中、（Ｔ．１、必ず眠れる枕参照）【００３８】  終戦末期、空の要塞として、出力を上げ、大型化する、米軍、Ｂ２９戦闘爆激機に対し、  出力を下げ、小型化する、日本の零式戦闘機、他準……等では対抗し切れなくなり、蜂の黄、黒、緑色に見られる拒絶色を機体色に取り込んだ際、Ｂ２９操縦士に心理的に恐怖心（幻覚）を与える程の効果を発生させる物であったが、現代科学は未だ不知。故、【００３９】  一羽の動きの鈍い、オウムに、鷹が攻撃を仕掛けた際、付近に居た数十羽のオウムが飛びたち、赤青染める羽色を一斉に、これに見せつけて、１４秒以上経つと、鷹は目をまわし、その場を離れる効果に以ていた。ここには、飛行速度も原因した。【００４０】  白黒のストライプを持つ  被食魚が  鯨、イルカの群に  追われた時、反激する  このストライプの魚群が踵を返えし、鯨、イルカの群を取り囲んで、３０分間以上周囲を泳ぎ回っていると、鯨  イルカ群は、口に泡を出し、意識障害を起こし、溺れる者も出る事は、未だ  現代科学の知らない所でもあったが、この位にまで極度に反対色にある色別は、人、動物の見る目と脳に衝撃的なインパクトを与えるものであって、  現代科学では、之を注意色、警戒色とも、呼んでいたが、多くの立証実験を用いて、考案される時、新代科学では、之を「拒絶色」と呼称するに至って、やがて  死に至るものさへ出す効果があり、この種の魚が異常繁殖する時、鯨や、イルカが、浜に打ち上げられる事件が多発した。
それ故、新代科学は、未までに無かった現代科学の前進となる為  分りづらく、もう暫く、相対論理の元に、説話が続けられる必要があったので、「絶絶色」とは、何か？について、  今暫く、説明されるには、色に対しては、視神径が  脳中に使われるのと、同様に、匂（臭）に対しては、嗅覚神径が使われる際、これを例えた時、嗅ぐ者に、その臭いが何んであるか？  その判断をしようと努力し続け、安全な物である時には臭いは匂いとなし、人動物の脳中は、１５分〜３０分を過ぎた頃、その匂いの何であるかを理解を止め、その場に居座っても安心するままに、拒絶行動をとらないものとなります。  匂いは、やがて、分らなくなり、つまり、拒絶臭ではなく、安心、安全の物と判断した。（重要。）【００４２】  これは、解賠学見地から掴えると、人動物の鼻腔に多く散在する嗅覚神径の電子を感じ取るセンサーが、匂いを司る、匂い電子群に衝突した際、脳に刺激信号として、与え、脳は、この匂いの正体が何であるか？その記憶の限り、検索し続ける時間を、およそ１４秒以上とし、それを超えた頃から、そこにあって、（マッチ棒を発火させる現象に以る）そこに散在していた嗅覚神径センサーの全てが、破壊され、ダメージを受けた時、人動物は、匂いに慣れた。と言い、そこにあった全ての匂いが分らなくなります。  ―――この現象は、人動物の鼻腔内にある、神径センサーが疲れた現象とも言い、（マッチ棒の発火薬と神径センサーに例えられる発火薬が匂い電子粒の流れにある激しい摩擦で発火し、その発火熱を、そのまま、脳に伝通し続け、マッチの燃えさしの様に、燃え尽きた時に以る）時、起こる現象であり、（Ｔ．３０、健康手帳参照）  燃えさしは、垢で体外排出。【００４２】  この時、嗅覚センサー神経の完全破壊（実質は０．０３％位）を阻止すべく、０．０３％の、この嗅覚センサー神経群が、マッチの燃えさしの如く、完全破壊させられた際に、嗅覚神経連立体では、脳の嗅覚神径を司る、中枢神経に、危険信号（疲労）を逓信し続けた際、脳は、限定マヒを試み、メラトリンを称する覚酔物質を、嗅覚神経群に送り続ける時、起こる現象であり、「嗅覚神経の眠り」とも称され、この神経群が完全マヒした時、人動物の体内（特に肝臓）に貯えられたグリコーゲンが分解され、この嗅覚神経群のダメージを、この間に治そうとします。  （Ｔ．２００、示現流参照）  眠りの正体となる。【００４３】  同様に、この例題を、人動物の視覚神径にある  脳筋連立体系説話に持って来て当て嵌めた際にも  同様の現象が起こるものとなった。  この場合、拒絶色にあるものであり、「拒絶色」とは、科学的に言う所、光粒電子（線）波長の極単に違う色種、例えば、黒と白。青と赤。黄に黒。の様に、これが複合して、同一場所にある場合の色合いを言い、【００４４】  この色合いにある色彩色を、人動物が、  約１４分以上、凝視してはいけない色合いの物であった事は、これが持つ目と視覚神経（特にロドプシン細胞群）の破壊消滅度数が甚
2007109622.tif 000013
【００４５】  考証論理（実態実験）では、白いノートに、黒のインクを使って、多くの書籍集（本）を  書き、読み漁る  まじめな  学生、学者群人口の大半は  眼鏡を必ず必要としなけ
2007109622.tif 000014
の  ロドプシン細胞が、０．０３％を越える勢で破壊され続ける因果関係にあって、この物を        見ようとする時、必ず必要となる、  ロドプシン細胞が、眼底、及び連立する視神径群から極単に減り始めると、眼球  レンズ体を動かす網筋に自律神経が作用し、そのロドプシン細胞の数量に合わせた動き方を余議無くする時、乱視、遠視近視現象が起こる事が、本論文、新代科学に指摘される時、ストライプの多い、文面や、細かい文字を書き綴った多くの書物を読み書きする事を職務とする者には、やがて、集光器を総称する眼鏡が、必ず必要となって来る由以は、ここにあった。――之を筆者は、この論文が以前、主だった出版社に発表した事があったが、売れず終いとなった。――この頃から新聞は、黒インキ
2007109622.tif 000015
筆者は無視されるままに、目に良い緑、茶系色が多いに使用され続けて未だ止まない物となっていた。【００４６】  説話が続けられる所、この様に、世に伝えられなかった。筆者の論文内容をして、考証論理を実証する為、筆者達研究グループ班は、かってに多くの動物実態調査をする、この拒絶色の有効効果が示される、海においては、パンダイルカ、シャチ等をして、陸上では
2007109622.tif 000016
て、いるか？  という説論では、人間界において、本能的に、使用され、未だ継続的に、警察が用いる、パトカー車輌や、野球選手が身に付けるユニフォームに、この説話を持ってくると、話しが、尚も分り易くなった。
2007109622.tif 000017
パンダの色彩を施した際には、スピード出力の違いにおいて、これを見る者の目に、１．１４秒見えて、１．１４秒、その素形が消える現象が起る為、その所在感をハッキリしながら、見る者の記憶に留まらない現象が起ったからであり、この間、脳は、興奮したり、休んだりする事を繰り返していたので、脳、視神経の受けるダメージは少なかった。
この事は、読者の未だ知らない新代科学に見られるものであったが、イルカ、ペンギンアザラシ、オルカ等が、エサの多い魚群の群れに、突入し、反転する、ストライプ、縞模様の多い魚群に逆襲された時、出力を違えた速度で、現場を離れ、海底で動かず静かにしていれば、魚群は、この襲撃者の素形を見失い、無事退避出来、夕方から夜る寝ている時にも、いつしか、取り囲まれている危険も少なかった。（但し、パンダ拒絶色は必要。）【００４７】  ここで、多く気が付く、面白い事には、  大概、被食獣（魚）他では、彼等は、集団生活をする、集団陣を持っており、復讎する能力がある事が研究グループで分った事であった。
――上記海洋、陸性生物、アザラシ、ペンギン等では、有事の際には、陸上に逃がれる術を持っていたが、呼吸する、イルカ、オルカ等では、そういう訳にはいかなかった。【００４８】  読者の内、動物生態学者が居て、アフリカ、サバンナで、間抜けな、ライオン、リカオン、ジャッカル等が居て、昼寝をしている最中、被食獣（本文では、ゼブラが分り易い。）が、これを取り巻いており、３０分以上すると、捕食獣は、脳機能障害を起こし、動けなくなり、ランチェスターの布陣と命名される、殺陣で殺されているのを知っていたであろうか？（エドガーランポー、小説に登場する、大渦の怪の正体とは、魚群攻撃と推意した。）
2007109622.tif 000018
ターの布陣に巻き込まれ、脳機能障害を起こし、流氷の上に逃がれ、昼寝をするまま、海流に流され、通常のアザラシ生活園以外の場所で発見されるには、この理由があった。――ランチェスター、布陣とは、味方を芯にして、敵が之を三方向から取り囲む陣型を言い、中世、大阪城戦。近代、沖縄戦、現代、イラク戦争に見られる、芯に、いかなる（数十万）最強師団が増強されようとも（全滅警戒除去系数、Ａ）０．０３％づつ、  害力を以って、之に破壊せしめた時、芯は絶滅する殺陣を言うが、優秀な英国をして、殿りを引き受けた、日本陣撤収後に現地に居残る、イラク米派遣軍では、未だ、この意味が分らないでいた。  ――国内、大企業を芯にして、これを取り巻く中小企業が、一定の時間、空間  おいて、０．０３％づつ倒産した場合にも同じ事が言え、――海中でも捕食魚生体系に関し、中間管理魚（鰹、鮪等）が鳥インフルエンザ流行により、鳥肉に替わる（鰹、鮪等が）乱獲された場合、下級管理（鰹、鮪、秋刀魚等）魚類にある異常繁殖し続けた由以に解答を求めた時、
即ち、全滅路にある、生体系捕食魚は、養殖されるままに、狩猟経験の浅い段回で、自然界に放置される際には、生存経験未熟な為、被食者に、すぐ取り囲まれて、全滅させらてしまう、海中、海洋生物生体系（戦略構図）を、日本の水産庁を始めとし、現代自然科学の未だ知らず所、自然界の生存経験未熟者も同意議の中、親に守られて子は育っていた。【００５０】  考証論理としては、海中自然観測中、ストライプ拒絶色を体色を持つ車エビは海中移動の際、行列移動をし、これを狙う、大概の捕食魚類は、目をまわし、手出し出来ず、之が濫れ、一匹に孤立した時のみを狙う体勢は、ペンギン、アザラシ他、動物が、被食魚の殺陣を、故意に濫し、一匹づつ、群から外き出させて、之を捕食しているのに似ていたが、被食魚が通常の十倍近く、異常繁殖した場合、逆に取り囲まれて溺死する者を確認して理解される所、【００５２】  立証人体（筆者）実験では、サイロ状の吹き抜け塔の内部を、ゼブラ模様に塗り、この中に入って静止したまま、見ている分には、問題も無かったが、この模様を見たまま、二次元から、三次元に移行する、一階から十二階までに至る、ら線階段を塔の中心部に造り、かけ足で登り始めて、暫くもしない（１４分以後）内に、意識障害が起こるのが分り、【００５３】  お勧めするものではなかったが、読者の中に確認する者があれば、５０階建てビルディングの密閉された階段部室の天井から床まで隔なく、ゼブラ色に塗り、動物（犬）を入れて１階から５０階まで、走って登らせる動物実験を行使した場合、１４分以後、動物は意識障害を起こす所となった。  （Ｔ．５５０、ハンガーブレラー参照）この様に、【００５３】
2007109622.tif 000019
に合わずに済むだけの効力を持って、選手ユニフォームは、パンダ色を用い、開発され続けた物であった。【００５４】  この様に、生物界においては、動物の視神径が嫌う「拒絶色」が有り、これが発見された時、この反対色を伴って複合する拒絶色を、人間界の衣装、装身具他、本発明される車輌等に付加される、点灯具類に用いた際の効果を考えた時も同じであった。【００５５】  拒絶色は、他風景の中にあって、やたら、目立つ物の、それらは、人動物の脳神経記憶の中に、１．１４秒の周期率を得て、「見えたり」「見えなくなったり」する、動静起率を起こす為、脳中に、メラトリンを発生させず、替わりに、興奮済となるアドレナリンを多発する為、之を見て、目を外らす行動を、人動物が、実動する時、脳の活性化を促進し、運転する際、眠気を催させず、点灯照明を、長時間見ていても、瞬間に生じる危険さへ回避出来るものとなった。  但し、１４分以上擬視した場合、逆効果が生じた。――本文は、まだ難しい為、今暫く別説話をした。【００５５】  筆者が、かつて、野球観戦をする時、勝負を司る監督が、その日のバイオリズムに合わせ、バッティング選手に紅白、他白黒のユニフォームを交互に着せ替えて、勝負に望んだが、（紅色は魔除けになる。とする、筆者の入れ知恵）これは、当時は違反ではなく、この状況下に置かれた対抗ピッチャーの脳では、極度に、アドレナリンが働く為、バッターを集中的には、見ていられなくなる１．１４秒効果が働く為、彼の躰には、ボールを投げる瞬間に、速度規制セーブが働く変調が起こるのを、イヤミな科学者の目で、これを見、贔屓する球団が、勝利に進むのを、秘に笑っていた事があった。しかしながら、【００５６】  北狐物語りに登場する、親狐が、あまりにも真赤に染める夕陽を見ていて、我が子を喰い殺すシーンや、  緊急自動車で運ばれて来て、血ダルマになった患者を見た、外科医が、卒倒する現象にも、考証論理に示される所、そこには、白い雲、白い包帯があっても、婦長のみ歴然とし、その場に陣頭指揮に立ち、応急処置する姿勢は、別課となった。【００５７】  この現象は、ヘリ、飛行機抗空路にあり、１２０Ｍを越える鉄塔では、必ずしも、紅白の色彩が施こされているのは、これを見る、パイロットが無意識中にも、瞬間速度を落す「新代科学」に提唱される「拒絶色」の効果が働くからであり、怖い物である。とする心理学、畏怖心を中枢脳に働らかせたからであった。  当時、互角以上の勝負の出来る、日本史、源平合戦時、源家が、紅の旗を持ち、平家軍団の士気を衰えさせ、真田幸村が、鎧兜を紅に染め、少数精鋭で、敵大軍を脅威せしめ続けた事にも、この論理にあった。
この現象は、ロシア皇帝に対抗する、プロレタリア軍の赤旗にも見られた。
【実施例】
【００５８】  これをして、今尚、多くの考証論理を多く控える中、この論説を、本発明の内に、利用するならば、服装飾品ブローチでは、中心に黄、若しくは、黄緑光源体を持つ光発信器を備え、周囲に正反対色となる、赤青類にある、光体源を点滅を以って配色して望ましく、【００５９】  これを、現在人類が、全地球上に何百億台数を越えて使用される、自動車輪に、用いて使用しょうと思われるならば、既に完成して、その一台一台に備わっている淡い朱灯色を以って、昼夜間、点灯される、照明灯の間に、電気出力があって、１／３以下の大きさを理想とし、この様に、今までには無かった、赤色灯とは、反対にする青色灯をフォーグランプ他、附帯照明具として、之に用いた場合、「拒絶色」となり、人の目は危険にある物として注意を引き、反射神経に、動静制御心を与える効果がある事が発見され、緩和される際、
極単に波長の長い、赤色彩や、波長の短い青色彩は、特に、人動物生存界では、必要としない色であり、これが、脳中、視覚野に限度数を越えて入ってくる時、今回、新代科学に指摘される、黄色を中心として、「絶対必要生活圏色」を片寄らせるままに、視覚野神経全搬を破壊してしまう威力さへあったので、十二支に見られる、動物を始めとし、その殆ど全ては、その種属遺伝子に組み込まれるまま、進化、進化路の内に、青色、赤色の見えない色弱視神経を形成する様に、その脳は努力していた。
2007109622.tif 000020
【００６０】  この事は、ヘリ、飛行機を操従するパイロットが、サングラスを着けずに、長時間、青い海と、青い大空の下を飛行し、帰省した際、ヘリポート、滑走路が見えなくなりつつある事に気が付き、―――誰しもが経験する、コドモの頃、プールの底を真青に塗った、プール遊びをし、１００Ｍを泳ぎ切って、およそ、３０分後に、水上に顔を出すと、地上に居る人々、ギャラリーの一切が見えなくなっているものであったが、プール底を茶色に塗っていると、この範囲を逸脱した。この後、遊泳者には、眠気が急襲したが、しかしながら順説から、プール底を紅く塗ると、すぐに体力を使い果し、泳路区分白色線を太くし、中に青色線を用い、１６分間、筆者が、この中で泳いでいると意識を失った。この様に、  動物実験的では、黄色をベースにし、黒白、紅白、紅青の様に、反対色を持つ、ストライプを持つ、風船、蛸足帯を中心に、極単な青色を配色し、その周囲に紅色を持たせ、夜間は、その様に光源体を持つ、試験物を、農作物被害のある、田畑に用いて、実験した際には、田の米を狙う雀、他、果樹園で害となる、猿、熊、猪‥‥等を、やたら近づけさせない効果がある事も、箸者達、研究班は、実証し続けるものであり、（動力、極単反対色必要）【００６１】  信号機（特に単色信号）がある、鉄道信号や、道路上にある、三色信号中の拒絶種色が、連鎖する、何度も通り過ぎるままに、これを見、進行する乗物上で、８００Ｍ先から、これを、ずっと見続けた際には、Ｅ２＝ｎ⇒Ｘ＋Ｙ＝Ｚ公式のこれが働き、Ｘ８０＋Ｙ８０⇒Ｚ１６０＋Ａ８００＝Ｚ９６０を６０秒で割ると、１６分の時間が割り出せ、１５分を過ぎた事で、人動物の脳には、生理的に、これを嫌悪とする多量のメラトリンが発生する為、色盲現象が起こり、信号を無視して、突破する現象が起こったり、逆説から、８０ｋｍ／ｈの速度で走行中のドライバーが、夜間、この様に、車輌の尾灯を直視（凝視）し、８０Ｍの車間を保っていた際、この状態で、１５分後に、前車輌が急停止する事があれば、生理学上、このドライバーには、既に催眠効果が働いている為、前車輌の尾灯に吸い込まれる勢いで追突して行く可能性が起こり、更には、３０分を越えて、この様な事をすれば、１０中８、９これらの現象事故が起こっても、おかしくない事となります。―――青、赤の原色を、人間動物が見ていられるのは、１５分〜３０分が限界だったからです。因に、【００６２】  本発明品に見られる、現在、全世界で使用されている、数百億台数にあって、既に完成している自動車輌の後部赤色尾灯の間に、常設されている車番灯ランプ（他、ストップランプ）に強い光を放つ緑色灯に変えてみた所、最低コストの元、車輌が持っている紅色尾灯にあっては、人の視神経に、この様に害を成す紅色、拒絶色を緩和させる事に成功する物となる事から、青（緑）類をして、反射（帯）板をこれに用け、車輌紅色尾灯の間に、添付して、用いれば、更に低コストとなり、交通安全となり、この帯を蛸足にし、ハンガーブレラー（Ｔ．５５０参照）に吊し、投光器で照らす場合、害獣除けにもなる物であった。【００６３】  それ故、この論文で指摘する所、現在街中の信号に使用している紅色は、本論文趣意に指摘される所、長く見ていると��脳が拒絶しだす、色合いであり、この色合いに、極単な青色反対色を附加してはならず、降雨雪、多い日に、これを凝視する運転をしてはいけない事も新代科学に指摘される所ではあった。    故、【００６４】  ２００Ｍ先で、赤信号を見、渋滞が１５分以上続く時、２００Ｍ前に信号の無い交差点があってタイムリミット時には、このドライバーの脳には、Ｘ５６００＋Ｙ２００の公式が働く為、Ｚ５４００を消費し、その交差点前の交差点で停止し、動けなくなる事さへ有ります。【００６５】  読者の、記憶の中に、小学校の入学式、卒業式で、紅白の陣幕が張られ、葬式では、黒白の陣幕が必しも張られ、「特別な意味があるから、関係者以外この中に入ってはいけません。」と口で説明しなくとも、大概分るものであった。  ――中に入れば、部外者のコドモ、大人は叱られる。と解釈され、異和感の生じる色合でもあった。  （デモ現象）【００６６】  信号の、三色灯をして、その中の赤点灯が、長く続く場合、これを見続ける人の視神経には、メラトリンが発生し、催眠効果の働き易いものであったが、この場合、車輌に附帯する赤色尾灯でも、同じ事が言へ、３０分前後に視神経の疲労限界指数を来たす事が、前文までに、指摘される時、信号、若しくは、赤色尾灯の中心部（車番灯に緑色灯を配し、これを強くする。）他、すぐ、その下に、出力される１／３以下低度を理想とする、緑色光体（青色は望ましくない。）を、合同配色した場合、現在、多くの交差点の信号の下に附加点灯する、矢印信号を実際例に見られる様に、この場合メラトリンが中和され。【００６７】  これをする、同一場所に見る、ドライバーの、脳神経に、アドレナリン、高揚分泌液が出て、働き、１．１４秒サイクル脳活性現象が働く為、交差点内における、追突、接触事故等、他を極度に低下させ、押える程、色彩配色心理（学）が、人動物の心理に与える影響は大きかった。【００６８】  それ故、自動車輌の前照灯は、従来に用いられる、淡い朱灯が望ましく、その中心部位他、同色のフォーグランプと前照灯が、これを挟み込む位置や、すぐ下、その周囲に、やはり、出力を同じくし、反対色にあり、１／３位位下低度の大きさを理想とする青色類点点灯色 を発光させた時には、同意議における、脳にアドレナリンが発生する作用が、あり、これを見る者の眠り（催眠効果）現象を冷ます、クール効果があり、（Ｔ．５０．ギアマン．アイコンタクト参照されたし、）【００６９】  大型トラック、及び、トレーラーの側面の危険防止附帯灯では、朱、緑、青色灯一色を一列に配色し、点灯した場合、見る者の目、脳を活性化させる効果が生じる際、（秒速３０万ｋｍ飛行できる、ＵＦＯの照明具では、大概、時速１００ｋｍ以内にある時、朱色灯、１０００ｋｍの時、緑灯、１００００ｋｍを越える際、青色灯をして、それ以上、出力時は、紫外線、他レーザー線を機体横一列に並べ、使っているものであったが、）「新代科学」を知らない、遅れ続ける現代科学の元、先進、欧米諸国では、○大学研究グループが間違って発表する貢献論文により、これを用いる、警察、緊急車輌は、赤一色から、赤青二色、他、青一色に変化し続けるものの、之等、色合いを先駆的に用いは、していたが、（絶色可）【００７０】  青色一色灯においても、これを見る者の視神経に、アドレナリンの働きが純く、後に、  、赤色一色を見ていた時と同じく、脳中に、メラトリンが、働き続ける事で、同じ結果を表わし、脳、視神経が拒絶する一方、やがて、脳中マヒする、催民中に陥る他、【００７１】  警告灯を青赤の二色にし、速度を得る、回転させ、同一場所に設置した場合、これを見る、人動物の視神経に、極度のアドレナリンを分泌させて後、これをセーブさせる、脳にやはり極度なメラトリンが発生する為、臨床実験上、精神病理学にある躁鬱症（ヒステリー）が生じる為、速度を得る物に配備してはいけない色合いである事を、本論文は指摘するものであった。（Ｔ．１０、兜型ヘルメット参照されたし）  ――若し、これを為すならば、紅色を中心に１／３位下位を理想とする、朱色灯を配色するか、同様に、（淡い）朱灯の中に、同出力の１／３位下位の青色灯を入れる。回転灯にすれば、本来の意議を持って見る者の脳を活性化させる事の出来る警告灯を製作できる事を、本論文は、やはり、之に指摘する物であった。つまり、青赤原色他、反対色は、人の目に、強過ぎていた。【００７２】  筆者は、日本国家国民の永久繁栄を望み、世界の多くの国々と和を成し、競争する崇高な理念の元、トップクラス位を望み続け、発展途上国、支援、支持、指導を手がけ続けるべく、これに、かくありたい。と、日々、切に望む時、それには、まず、日本国家、国民が現実に、そうならなければならず、それには、常に、国内の景気を上位に安定させ続ける事が、最優先課題であり、他国（先進国）より、１％の学位が向上する時、国内には、彼の国より、１兆円の利益を先取できる事を、現内閣府に提唱し続けたが、無視された。以後、之内閣をして、全て、一切、相手にしない所となった。（Ｔ．２００、示現流）【００７３】  然るに、その一つの方法としては、やはり、筆者のコドモの頃であった。  筆者の父親が、クリスマスになると、必ず嬉しそうな顔をして、部室一杯にクリスマスの飾り付けをしていた。  ――――コドモ心に、それは、幻想的なものとなっていた。  ―――ここで気が付く事であったが、この人は素晴しい人だ！  と思った。  ところが、話しは、そこではなかった。【００７４】  景気の良い年には、クリスマスの飾り、他、イルミネーションは、黄金色を始め、十二色、二十色を競って、使われる物の多い中、「景気色」と命名。  反対に不景気の年には淡い朱色を中心として、銀色、水色に見られる涼色を強める傾向が見られる中、コンビニエンスストアー他、店舗等の看板の色合いを見たが、「景気色」の配色をよくする店は、繁盛し、反対に、この色合いを間違えて使用する所は、客入りの悪くなっているのを見ていた事があった。【００７５】  今回、発明論文に発表される、「発光ペンダント」の色合いは、全て、「景気色」にあるものであったので、これらを、もし、車両等にある照明器具、附帯灯（フォーグランプ）等に用いられる事があり、多くの人々が、これを見る時、悲惨で悲しい事故を減らし、勤勉なる、多くの人々の視神経に弛まざるエキサイティングが、日々、人々の心に与えられ続けた時、日本国家をして、先進国の景気は、不編の落ち込みを知らなくなり続ける程の効果を得る際、色彩心理学���精通する、より多くの知識人がより多く、望まれる所、
【産業上の利用の可能性】
【００７６】  しかしながら、本発明品では、現代において、１日、延べ１０万個〜３０万個以上、定期的に排出消費され、以後、継続消費され続けなければ、採算の取れない、低コスト、大量生産品にあって、即戦力を求め続ける本発明品等が、多く真似られて作り続けられる中、本論文に指摘される科学知識を無視し、仮りに駄作品が、企業戦略の中にあって、大量生産された場合、これを消費し、用いる消費者側にあっては、ただ不快さを覚える、発展途上国に、あり余って、思い付きで発明され続け、市場を混乱させる用途品でしか無く、眩しさを覚えさせもし、ともすれば、法的に義務付けられて、存在する、本来の重要なる点滅灯さへ、見落して、社会の混乱さへ、想定される際に、
【００７７】  人動物の躰には、生理（学）的には、基本的なリズムを兼ね備えて持っている事を、認識せねばならず、分り易く言って、仮死状態にある人に蘇生術を施こすには、強くなく、弱くなく、毎秒（本発明）１．１４秒づつ、心臓マッサージをすれば、人は、蘚生する事にも似ていて、この秒間（点滅）灯を、人や動物体、他、乗り物に、蛍の光り程の光源（人が用いる時、人若しくは、車、体比の大きさに倍尺）体として附帯させた時、これを見る、人動物等の目には、苦にもならず、優しく瞬いて、楽しませ、（丁度携帯電話の明るさとなる）  その存在感を既存体として、常に、日本国民１億２千万人に、在帯させるロマンがあった時、これらの光は、心理学的に、「無意識中の作動現象」が働き、相互間にある「注意光体としての認識力を多くのものに示し、特許品として用いられた際には、之を作る生産技術力は、情緒豊かな心を持ち、科学を重視する、日本人の心を持つ、日本の技術者にのみ、之にあった。
【００７８】  心の籠もらないで作られる製作品は、人々に愛されず、捨てられ易く、ゴミになり易いものであったが、科学的根拠を持たないで製作される製品もこれと同じであった。
【００７９】  筆者が、法医学研究室にいた頃、多くの交通事故被災（現場）他にも遭偶した。  ――事の重大さに驚ろく事故者は、「‥‥速度が分からなかったのだ！」と、ただ、言っていた。周囲の風景の中に極った特徴の乏しい、空間、海上、高速道路上等においては、未だ、三次元界知識しか持たない人類が利用する乗り物に、多いにして、四次元効果が働いていて、事故を多く招いていた事の現象の一例であった。  ―――この様に、速度を違えて為される動物実験でも、ナマケモノの走行速度が、あまりにも遅いので、攻撃する豹の視界からも消え易い事も、理解される時（本図２参照されたし）
【００８０】  この様に、反対色にあって、懐れづらく、型状を、出来るだけ小さくし、照度を極力高くし、見た目が、ファジーを以って、柔くなる点（減）灯発光体を作れる感性と技術力は、日本の電子技術力で既に量産体勢に、確立しているものばかりである中、高速乗物にのみ、利用せず、ペンダント（携帯電話に付ける）  ブレスレット、キーホルダー、チェーン等にある、日常品、小間物に至るまでのアクセサリーに忍ばせ、携帯を自由にし、消費者に、本意議を以って多いに使用できる事が出来た時、この発明品は、廃れる事なく、不遍の消費者ニーズに適い、全世界に在る人々に至って、利用していただいた時、不幸な事故を激減させ、ウナギ登りに生産され続け、延いては、日本国家の重要財源を潤す事の出来るものにまで成長する事が出来る物である。と推意する時、産業上の利用は極めて高い物である。と、考えられるものであった。
【図面の簡単な説明】
【図１】
【００８１】  昔から、「大工は、冬使うな！  使えば、捐をする。」と言う程までに、被岸をすぎて、夜るも長くなった頃も、（北欧では、日本より、それは、ひどいものであったが、）  人々は勤勉に働き、コドモ達は、学校へ行い、ペットの犬は、散歩をねだり続けた。日本人とドイツ人のまじめな気質は以ていた。けれども、【００８２】  この様に、夜るの長くなった、暗がりの中、多くの、車の運転手は、特に歩行者に気付かって、これを運転していたが、どうしても事故が起こった。  暗がりだけが、どうしても、原因するものではなかった様であったが、Ｘ＋Ｙ＝Ｚによる、四次元効果による、物理空間にある物体にも、多くの事故を起こす要因がある事が発見される時、この躍動する物体や、人々が、日常、身に付けている、ペンダント、ブローチ、ブレスレット、鎖‥‥‥等の中にあるアクセサリー、装飾品の中に、１．１４毎時点灯する発光灯を忍ばせて、2007109622.tif 000021的を以って、図示した図であったが、【００８３】  この１．１４秒、点滅灯器に、切り替えスイッチを付け、モールツ信号、トンツー信号に変えられる装置を付けた時、山岳、海難事故に遭偶した際、「ＳＯＳ」光を発っし、単2007109622.tif 000022オカシク、意志伝達し、蛍虫の様に、様々な人々に、自分の意とする、意志伝達を音声ではなく、光りによって、伝える事が出来た際には、日本国民、一億二千万人、人口の人々は、若者を中心に、モールツ信号を、日々楽しみながらにして、覚える事の出来る技術力を持った、アクセサリーである事を示した図でもあった。【図２】
【００８４】  肉食獣、豹ＡとナマケモノＢの捕獲範囲をＸＹ座標に表わす図であったが、座標を●点で１ｃｍ等間隔に表わし、＝印で間隔が等しい事を表わし、Ｘ方線に時間、Ｙ方線に距離を表わし、之に働く、力学を相対性理論、Ｘ＋Ｙ＝Ｚ⇒万有爆力の法則に求めた時、豹には、●点、及び＝印にある以外の捕食獣、ナマケモノの素形は、物理空間上にあって、消滅し、見えなくなっている（物体消滅範囲）事を示した図で、●点と＝印にのみ、「物体永久停止力学現象」が表われ、視界に物体が写る範囲を示した図であったが、空飛ぶ抗空機等を人が見る際にも、その抗空機の進路内の全てを人は見ていないのに、本図面に示される●点のみを見て、人の脳が、その予想進路を予測して、見た物であると、錯覚しているにしか過ぎないものであるのに以ていた。  理由は、相対性理論上にある、人の視点（座標点）があっていなかったからであり、この図標は、砲術論理学法、ミサイル防衛論理学、軍事法にあって、米国ペンタゴンの知る、「空対空、エアーポケット論理学法」に以ていたが、日本の防衛庁、幕僚庁の未だ知らない所でもあった。【００８５】  この論理学法を、二次元、車輌社会に用いる時、●印座標点にある、車輌は、「物体永久停止現象に見舞われる安全帯に在る。」と言い、「砲術論理学法」他、「三四次元エアーポケット論理学法に似る。」によれば、空対空ミサイルの大概の物が打ち落せた。【００８６】  仮りに、ナマケモノをＸ５＋Ｙ２．５＝Ｚ７．５とし、本図、座標、Ｂ地点にあった時、豹は、この計算式にある出力を呈した時、得物を掴える事が出来、得物がＸ４＋Ｙ４＝Ｚ８に、走行出力を落し、Ｕターンする迂廻途上にあった際にも、座標上における「物体永久停止現象」が、ここに表われるままに、豹は、ナマケモノを捕獲する事が出来た事を示す図であった。【図３】
【００８７】  田畑、農作物鳥獣害防止装備具をして、極端な、青色、反対色、赤色他に、歪みや回転を与えたり、車輌にあっては、朱色（赤色類）灯に挟み込まれる、青（若しくは緑色灯を単独、若しくは、ペンダント、フォーグランプ、車腹灯、尾灯に会意させ、使用する時、これを見る、人動物の視神経に緩和中にあって、緊張感を得る本発明、色彩灯が出来る事を示した図であった。  余談だが、ＵＦＯの照明具は、この様になっており、青白く、分散して光り、毎秒１０万ｋｍを越えて出力されるレーザー線は、攻撃砲にさへなっていた。――ＵＦＯの墜落要因は、知る限りニアミスであり、人類がどの位遅れているか分る。
【符号の説明】
１、ロザリオ型ブレスレットの中心部位に自律発光灯のある電灯を忍ばせた物を示す図。２、ブローチ、ペンダントに、黄色を主体とする青、赤、正反対色にあって、赤青、黄色三原色を会意させ、自律発光のある電灯が作られ、之を安全ピン、面テープ、他、工法接続で、衣服に取り付けた図。４、車輌の前部位、後部位、他、車輌の突出部位に、赤色類に対して、反対色となる青色系類にある自律発光のある電灯を取り付けた事を示す図であったが、点滅灯切り替えスイッチにより、「ＳＯＳ」等のモールツ信号を、自在に発っする事の出来る様にし、車輌にあっては、バッテリーに直結する必要があり、車内温度が３５°Ｃを越える時、サーモセンサーが働き、自動的に、ＳＯＳを発信したり、個人タクシー等が、強盗に遭偶した際、 カージャックを含む、外部に、ＳＯＳを発っして、通知できる、（従来の技術ではタクシーの運転手、警察以外、危険信号の意味が分らなかった。）切り替えスイッチを付けたり、又、高級車盗難時には、遠隔操作にても同じく、ＳＯＳを発信、通知できる、切り替えスイッチを付けて、  盗難防止に役立つ光りを発っする事の出来る事を示す図。  ５、ＳＯＳ、モールツ信号切り替えスイッチを示しているが、痴漢対策にも役立つ物である事を示した図。  ６、ペット用、ペンダントブローチ、及びリード先に取り付けられるペンダントの中心部位に、本発明品、自律発光灯のある、電灯を忍ばせた物である事を示している。  ７、車輌所在示灯の取り付け金具と電灯を示す図であったが、非常時には、ＳＯＳ、モールツ信号を発っする発信灯に変わる事を示した図であった。  ８、キーホルダーチェーンの途中に、発信灯を取り付けた図であったが、このチェーンは、ブレスレットにもなり、海中等にあって遭難時には、ＳＯＳを発っする物にもなる事を示した図。（Ｔ．３３０号参照）  ９、スダレに発光体を持つ、ホタル人形を取り付けて、夏の風情を楽しむ事の出来る事を示した図であったが、この発光灯をトラック荷の警告灯にも、簡単に変用できる事を示した図。１０、前主灯（淡い朱色が望ましく、１１、（フォーグランプ（朱、緑、青色灯が望ましい。）  １２、本発明される、自律発光ペンダント（Ｔ．４３０）であるが、その趣意は、本文指摘にある様に、バッテリー他に電源を得る物として、（人動物の目に瞳の位置に強い青を配し、周りを朱色とし、主灯を消したフォーグランプに会意させ）    青色類、若しくは、緑色灯を入れて作る様にして、車輌の照明具が製作され、これに用いられた場合、之を見る者全ての視先をそこに向けさせ、この物（車輌）が、物理空間を動く際、１．１４秒効果が表われるので、この動く物体は、夜釣の光る浮きの様に、そこに見る全体に、一点のポイントを集中し、見る者の視神経を安定させる効果が生じる事を示した図であった。（朱色灯は、青色反対色を緩和させる効力有）  １３、車幅灯（車輌常備、赤色類にある、青色類反対色を用いて効果有り）  １４、方向指示器。１５、紅色灯。
2007109622.tif 000023
た速度時をして、他、１００Ｍ車間距離内に、他車が侵入して来た時、（赤外線）車間距離センサーが作動し、本発明、青（赤）尾灯が激しく点滅を開始し、（法的に義務付けられる事が理想）あらゆる車輌に取り付けられる事があった際、追突事故防止に役立ったが、車番照明灯の発光出力を大きくし、緑色に変えた場合、本意議に達っし、低コスト生産の元に、紅色による視覚神径に働く、催眠効果を低下させる効力を堪大にする事を表わした図。  １８、又、この原理に基づく発光ペンダント理論から、光る、青色、次色に紅色、次色に白色、外側に黒色を順次、認意、研究され、反対色を配備する製品を作り、風により、回転する風車や、任意デタラメ運動する。帯、風船等に、夜間は、発光力のある電飾形体物にし、田畑、果樹園等に配備すると、害鳥獣は、やがて、これに近づかなくなる効果がある事を動物実験にて知る事の出来る図であったが、目障りなので、エキサイティングし、形体物に攻撃を仕掛ける動作さへ見られる中、この色彩にある風船、帯、ハンガー（ハンガーには、迷彩色帯をブラ下げる。  Ｔ．５５０号、ハンガーブレラー参照）等を数千個、果樹園に設置した時、あらゆる害獣は、目をまわし、これらを近づけさせなくなる事で、本論文の正しさは理解されるものとなったが、人、若しくは、コドモが之を見ない様、囲いの中で使用される必要があり、３年間、この様に本発明品を配備すると、害獣の死体さへも附近で見られた。  １９、青色（灯）  ２０、紅色。  ２１、白色。  ２２、黒色。２３、釣り金具。２４、黄。  ２５、風に吹かれる白色ナイロン帯の中に反対色（青赤、黒白、黄黒、緑青、緑赤色）を印刷して作られた害獣撃退帯。  ２６、トラック等の側面に付ける側灯明器具を示した図であったが、本論文指摘にある、車輌に従来から常設されている技術力にある淡い朱色、前主灯他、尾灯にある紅色灯に反対色となる極単な、青（緑）灯を附加して、人が見る時、視神経に多量のアドレナリンが発生する際、赤色に対して、反対色の青色類等が見える為、この色を見る事で、脳中に極度のアドレナリンの発生する事を押える効果があって、適度なリラックスするメラトリン排出効果が出来る為、長時間の運転に際しても、これらを緩和させる事が出来たからであった。  ２７、トラックの側面、腹帯灯図であるが、周囲に必ず、紅色灯を配色し、２８、青色類、色彩反対色を複数、一列に配列した場合にも、これを見る人心を強く引き（色彩心理学）強力な注意力を得る色彩灯となりますが、極単な青色を多く用いる車輌が、一路線中に増え過ぎた場合、信号灯にある青色法定灯火を歩行者を含め、見落す危険が生じる事が予見される所、中間色にあって、反対色力の弱い紫色を用いた場合には、  この色には、美し過ぎる嫌いがあり（心理、迷彩色）この色を用いてもよく、  むしろ、水色が望ましいものとなった。  ２９、遊び心で、瞳に、キャッツアイを入れてみた事を示す図であったが、形状が、心理学的に女性器に見える事から、より多くの人々の注視を浴びた。  ３０、電源供給塔。  ３１、赤色類、車両常備灯に対して、緑、朱、若しくは、水色灯類にある点灯物を反意させた灯具類を示している図。  ３２、現在、日本を始めとする先進国路には、（朱色の街路灯が、どこにでもあり、非常に明るくなっている為、極単色（特に赤と青色）が、人動物の視神経に与える驚異が未だに分らないでいた。  即ち、現在、法律で義務付けられている、車輌の紅色尾灯や、流行により、流行つつある、科学的根拠を無視したフォーグランプ（点球、反射板等）は、本論文が指摘する、１４分以上、暗所で凝視すると、残存光価が視神経に残る為、（絶対必要生活圏内、黄色を中心とする哺乳動物が、これを見続けた際、実影物が見えなくなり、あらゆる支障が起こる時、多いにして、目がカスみ、事故が起こっていた。  それ故、低数車が、これを用いる場合、あまり問題にもならなかったが、同一路線上に数百、数千台を越える台数車が、本論文に指摘される、科学的根拠を無視し、色違いにある色彩灯を正しく用いなかった際には、歩行者を含め、多くの人々に精神障害さへ生じさせる併害のある物になった。（類題では、アイスバーンに強力を発っするスパイクタイヤに見られる。）  それ故、むやみに、正反対、色彩灯を、長い時間と空間と速度を得る（Ｘ＋Ｙ＝Ｚ）  人が見る所に、付け置いては、いけない事を本図は示していたが、長時間内にあって、一原色等を長く見ている様な、自動車紅尾灯の間に、ストップランプに見られる、短い時間内に発光させる、青色反対色があった場合、人の視神経に働き易い催眠効果を処断させるには、絶大な効果を表わす事を示した、ストップランプ灯を示している図であった。  ３３、警告灯。  ３４、車輌前面図。  ３５、車輌後部面図。  ３６、ペットボトル。３７、投光。３８、第二主灯（低い位置から出来るだけ遠くを照らせる様にした図  あり、青色灯類が望ましく、地面、すれすれをハイビームで照らし、対向車に眩くない様にし、第一主灯を（淡い）朱色にする他、両脇から照らすと、    被写対象障害物が至近拒離に浮き上がって見え、早めにブレーキを踏み見落としが少なくなる効果があった。
【手続補正３】
【補正対象書類名】図面
【補正対象項目名】全図
【補正方法】変更
【補正の内容】
【図１】
2007109622.tif 000024
【図２】
2007109622.tif 000025
【図３】
2007109622.tif 000026